(57)【要約】【課題】  本発明は野菜や果物を用いて、腐敗することなく各種の花形状等に加工して、長期間使用したり、飾ることができる装飾品の製造方法を得るにある。【解決手段】  野菜や果物を薄く切断する切断工程と、この切断工程で薄く切断した切断野菜や果物を乾燥させる乾燥工程と、この乾燥工程後に乾燥された切断野菜や果物を湿らせて柔らかくする柔軟工程と、この柔軟工程で柔らかくした切断野菜や果物を接着剤を用いて所定の花等の形状に加工する加工工程とで装飾品の製造方法を構成している。  【選択図】  図１
2008194890.tif 000002
【特許請求の範囲】
【請求項１】
野菜や果物を薄く切断する切断工程と、この切断工程で薄く切断した切断野菜や果物を乾燥させる乾燥工程と、この乾燥工程後に乾燥された切断野菜や果物を湿らせて柔らかくする柔軟工程と、この柔軟工程で柔らかくした切断野菜や果物を整形し接着剤を用いて所定の花等の形状に加工する加工工程とを含むことを特徴とする装飾品の製造方法。
【請求項２】
野菜や果物を薄く切断する切断工程と、この切断工程で薄く切断した切断野菜や果物を、変色防止手段を施して乾燥させる乾燥工程と、この乾燥工程後に乾燥させた切断野菜や果物を蒸したりアルコールを含む水を塗布して柔らかくする柔軟工程と、この柔軟工程で柔らかくした切断野菜や果物を整形し接着剤を用いて所定の花等の形状に加工する加工工程とを含むことを特徴とする装飾品の製造方法。
【請求項３】
切断工程、柔軟工程あるいは加工工程後に切断野菜や果物に着色を施すことを特徴とする請求項１、２いずれかに記載の装飾品の製造方法。
【請求項４】
柔軟工程あるいは加工工程後に切断野菜や果物にコーティング剤を施すことを特徴とする請求項１、２いずれかに記載の装飾品の製造方法。
【発明の詳細な説明】
【技術分野】
【０００１】
本発明は野菜や果物を用いて装飾品を製造する装飾品の製造方法に関する。
【背景技術】
【０００２】
従来、野菜や果物を用いて器物を製造する方法が考えられているが、野菜や果物は生物であるため、それ以外の利用方法が考えられなかった。
【特許文献１】特開２００１−２１９７００
【発明の開示】
【発明が解決しようとする課題】
【０００３】
本発明は以上のような従来の欠点に鑑み、野菜や果物を用いて、腐敗することなく各種の花形状等に加工して、長期間使用したり、飾ることができる装飾品の製造方法を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は野菜や果物を薄く切断する切断工程と、この切断工程で薄く切断した切断野菜や果物を乾燥させる乾燥工程と、この乾燥工程後に乾燥された切断野菜や果物を湿らせて柔らかくする柔軟工程と、この柔軟工程で柔らかくした切断野菜や果物を整形し接着剤を用いて所定の花等の形状に加工する加工工程とで装飾品の製造方法を構成している。
【０００６】
本発明は野菜や果物を薄く切断する切断工程と、この切断工程で薄く切断した切断野菜や果物を、変色防止手段を施して乾燥させる乾燥工程と、この乾燥工程後に乾燥させた切断野菜や果物を蒸したりアルコールを含む水を塗布して柔らかくする柔軟工程と、この柔軟工程で柔らかくした切断野菜や果物を整形し接着剤を用いて所定の花等の形状に加工する加工工程とで装飾品の製造方法を構成している。
【発明の効果】
【０００７】
以上の説明から明らかなように、本発明にあっては次に列挙する効果が得られる。
【０００８】
（１）野菜や果物を薄く切断する切断工程と、この切断工程で薄く切断した切断野菜や果物を乾燥させる乾燥工程と、この乾燥工程後に乾燥された切断野菜や果物を湿らせて柔らかくする柔軟工程と、この柔軟工程で柔らかくした切断野菜や果物を整形し接着剤を用いて所定の花等の形状に加工する加工工程とからなるので、野菜や果物を長期間腐敗するのを防止することができる花等の形状に加工することができる。
したがって、従来の押し花にする草花と同様に野菜や果物を使用することができ、野菜や果物の利用分野を拡大することができる。
【０００９】
（２）前記（１）によって、柔軟工程を用いることにより、乾燥させた切断野菜や果物の加工工程時の損傷を効率よく防止することができる。
【００１０】
（３）前記（１）によって、加工工程時に接着剤を用いるので、容易に所定形状に加工することができるとともに、柔軟工程後に接着剤を用いるので、容易に接着剤を付着させることができる。
【００１１】
（４）請求項２も前記（１）〜（３）と同様な効果が得られるとともに、変色しない状態で乾燥でき、柔軟加工も容易に行なうことができる。
【００１２】
（５） 請求項３も前記（１）〜（３）と同様な効果が得られるとともに、着色して、よりカラフルな装飾品に仕上げることができる。
【００１３】
（６）請求項４も前記（１）〜（３）と同様な効果が得られるとともに、コーティング剤を施すことにより、強度を増すことができ、カビや虫食いなどを防止することができる。
【発明を実施するための最良の形態】
【００１４】
以下、図面に示す本発明を実施するための最良の形態により、本発明を詳細に説明する。
【００１５】
図１ないし図9に示す本発明を実施するための最良の第１の形態において、１は野菜や果物から装飾品を製造する本発明の装飾品の製造方法で、この装飾品の製造方法1はリンゴ２を薄くスライス状に切断する切断工程３と、この切断工程３で薄くスライスされたリンゴ２ａを乾燥させる乾燥工程4と、この乾燥工程4後に乾燥されたスライスリンゴ２ｂを湿らせて柔らかくする柔軟工程５と、この柔軟工程５で柔らかくしたスライスリンゴ２ｃを、手作業やアイロンやコテを使用して整形し接着剤6を用いて所定の花等の形状に加工する加工工程7と、この加工工程7後に必要に応じて行なう後加工工程8とで構成されている。
【００１６】
前記切断工程３は図２に示すように、包丁やスライサーを用いて、リンゴを円形状に薄くスライスする。
この時、使用目的に応じて皮付きや皮なしの状態でスライスする。
【００１７】
前記乾燥工程4は図３に示すように、薄くスライスしたリンゴ２ａを自然乾燥させたり、自然乾燥の途中より乾燥剤9を使用して乾燥させたり、はじめから乾燥剤を使用して乾燥させたり、オーブンや電子レンジを使用して乾燥させても良い。
すなわち、押し花を乾燥させる場合と同様に、押し圧あるいは立体状に乾燥させる。
【００１８】
前記柔軟工程５は図4に示すように、乾燥されたスライスリンゴ２ｂを蒸して柔らかくするが、この蒸し作業は図4に示すように、容器１０内に濡れた新聞紙１１を入れて電子レンジ１２で加熱した後、容器１０内のあたたかくなった濡れた新聞紙１１ａ上に位置させることにより行なう。
【００１９】
前記加工工程7は図５に示すように、やわらかくしたスライスリンゴ２ｃを手作業やアイロンやコテを使用してに整形し接着剤６を塗布して所定形状に曲げながら、図５に示すように接着固定して所定の花形状に加工する。
この時、花芯部分を、紙を折りたたみ、曲げた花芯部分１３を用いて、該花芯部材１３上に柔らかくし、接着剤を塗布したスライスしたリンゴ２ｄを接着固定していくことにより、容易に所定の花形状に加工することができる。
なお、前記花芯部材１３は花形状に加工したあと、除去したり、不必要な部位を切断除去する。
【００２０】
前記後加工工程8は出来上がった花形状に加工したものを着色したり、コーティング剤をコーティングしたり、ビン１４や額１５に収納して装飾品１６、１６Ａ、１６Ｂに加工する作業で、これは必要に応じて選択的に行なわれる。
[発明を実施するための異なる形態]
【００２１】
次に、図１０ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１０および図１１に示す本発明を実施するための第２の形態において、前記本発明を実施するための最良の第１の形態と主に異なる点は、乾燥したスライスリンゴ２ｂに、アルコールに約２０重量パーセントの水を含む柔軟剤１７を筆で塗布したり、噴霧器でスプレーして柔らかくする柔軟工程５Ａを行なった点で、このような柔軟工程５Ａを用いた装飾品の製造方法１Ａであっても、前記本発明を実施するための最良の第１の形態と同様な作用効果が得られる。
なお、噴霧器の代わりに柔軟剤１７を収納したスプレー缶を用いてもよい。
また、柔軟剤１７に着色剤を入れたものを使用して柔らかくするとともに、着色できるようにしてもよい。
【００２３】
図１２および図１３に示す本発明を実施するための第３の形態において、前記本発明を実施するための最良の第１の形態と主に異なる点は、スライスされたリング２ａにクエン酸や塩水、アスコルビン酸、酸化防止剤、ＰＨ調整剤を塗布やスプレーして変色防止処理１８を行なって乾燥工程４Ａを行なった点で、このような乾燥工程４Ａを用いた装飾品の製造方法１Ｂを行なっても、前記本発明を実施するための最良の第１の形態と同様な作用効果が得られるとともに、変色や退色を効率よく防止することができる。
【００２４】
図１４および図１５に示す本発明を実施するための第４の形態において、前記本発明を実施するための最良の第１の形態と主に異なる点は、ダイコン１９を円形状のスライス状に切断する切断工程３Ａを用いた点で、このような切断工程３Ａを用いて装飾品の製造方法１Ｃを行なっても、前記本発明を実施するための最良の第１の形態と同様な作用効果が得られる。
【００２５】
図１６ないし図１８に示す本発明を実施するための第５の形態において、前記本発明を実施するための最良の第１の形態と主に異なる点は、玉ねぎの皮やリンゴの皮、豆の皮等の野菜や果物の皮２０を花びらの形状に切断する切断工程３Ｂを用いた点で、このような切断工程３Ｂを用いて装飾品の製造方法１Ｄを行なっても、前記本発明を実施するための最良の第１の形態と同様な作用効果が得られる。
【００２６】
なお、本発明を実施する各形態ではリンゴやダイコンを用いるものについて説明したが、本発明はこれに限らず、梨、柿、桃等の果物や人参、芋、茄子等の野菜も同様に使用することができる。
また、アルコールを含む水にグリセリンやエチレングリコール等の柔軟材を入れたり、コーティング剤、着色剤を混ぜたものを使用しても良い。
【産業上の利用可能性】
【００２７】
本発明は野菜や果物から装飾品を製造する産業、あるいは野菜や果物から装飾品を製造する方法を教える教育産業で利用される。
【図面の簡単な説明】
【００２８】
【図１】本発明を実施するための最良の第１の形態の工程図。
【図２】本発明を実施するための最良の第１の形態の切断工程の説明図。
【図３】本発明を実施するための最良の第１の形態の乾燥工程の説明図。
【図４】本発明を実施するための最良の第１の形態の柔軟工程の説明図。
【図５】本発明を実施するための最良の第１の形態の加工工程の説明図。
【図６】本発明を実施するための最良の第１の形態の後加工工程の説明図。
【図７】本発明を実施するための最良の第１の形態の装飾品の説明図。
【図８】本発明を実施するための最良の第１の形態のビンに入れた装飾品の説明図。
【図９】本発明を実施するための最良の第１の形態の額に入れた装飾品の説明図。
【図１０】本発明を実施するための第２の形態の工程図。
【図１１】本発明を実施するための第２の形態の柔軟工程の説明図。
【図１２】本発明を実施するための第３の形態の工程図。
【図１３】本発明を実施するための第３の形態の乾燥工程の説明図。
【図１４】本発明を実施するための第４の形態の工程図。
【図１５】本発明を実施するための第４の形態の切断工程の説明図。
【図１６】本発明を実施するための第５の形態の工程図。
【図１７】本発明を実施するための第５の形態の切断工程の説明図。
【図１８】本発明を実施するための第５の形態の加工工程の説明図。
【符号の説明】
【００２９】
１、１Ａ、１Ｂ、１Ｃ、１Ｄ：装飾品の製造方法、
２：リンゴ、                                                ３、３Ａ、３Ｂ：切断工程、
４、４Ａ：乾燥工程、                    ５、５Ａ：柔軟工程、        
６：接着剤、                                                ７：加工工程、
８：後加工工程、                            ９：乾燥剤、
１０：容器、                                                １１：濡れた新聞紙、
１２：電子レンジ、                                    １３：花芯部材、
１４：ビン、                                                １５：額、
１６、１６Ａ、１６Ｂ：装飾品、            １７：柔軟剤、
１８：変色防止処理、                    １９：ダイコン、
２０：野菜や果物の皮。
【図１】
2008194890.tif 000003
【図２】
2008194890.tif 000004
【図３】
2008194890.tif 000005
【図４】
2008194890.tif 000006
【図５】
2008194890.tif 000007
【図６】
2008194890.tif 000008
【図７】
2008194890.tif 000009
【図８】
2008194890.tif 000010
【図９】
2008194890.tif 000011
【図１０】
2008194890.tif 000012
【図１１】
2008194890.tif 000013
【図１２】
2008194890.tif 000014
【図１３】
2008194890.tif 000015
【図１４】
2008194890.tif 000016
【図１５】
2008194890.tif 000017
【図１６】
2008194890.tif 000018
【図１７】
2008194890.tif 000019
【図１８】
2008194890.tif 000020